(57)【要約】【課題】　生産者、消費者に対して、環境に対する意識の向上と、環境に取り組む姿勢に変化をもたらし、地球環境の改善に貢献できる農産物の生産方法評価システム等を提供する。【解決手段】　農産物の生産方法を評価するための評価対象に対する回答を記載するための診断用紙と、評価対象に対する回答に対するポイントを記載した判定表と、判定表に基づいて計算されたポイントを集計して得られた指数を表示する印刷物またはシールとを備える農産物の生産方法評価システム。このシステムを用い、各農家等が診断用紙に回答を書き込み、回答毎に付与されたポイントを集計することにより、農産物の生産方法を評価するための指数を容易に計算することができる。【特許請求の範囲】
【請求項１】
農産物の生産方法を評価するための評価対象に対する回答を記載するための診断用紙と、
　前記評価対象に対する回答に対するポイントを記載した判定表と、
　該判定表に基づいて計算されたポイントを集計して得られた指数を表示する印刷物またはシールとを備えることを特徴とする農産物の生産方法評価システム。
【請求項２】
農産物の生産方法を評価するための評価対象を設定し、
　該評価対象に対する回答に対するポイントを設定し、
個々の農産物または複数の農産物を対象として、個々の農家毎または複数の農家を含む地域毎に、前記評価対象に対する回答を得て前記ポイントを集計して指数を計算し、
　該指数を表示することを特徴とする農産物の生産方法評価方法。
【請求項３】
前記指数を、印刷物若しくはシールに表示し、または通信手段を介して端末に表示することを特徴とする請求項２記載の農産物の生産方法評価方法。
【発明の詳細な説明】
【技術分野】
【０００１】
　本発明は、農産物の生産方法評価システム及び評価方法に関し、特に、生産者、消費者に対して、環境に対する意識の向上と、環境に取り組む姿勢に変化をもたらし、地球環境の改善に貢献することのできる農産物の生産方法評価システム及び評価方法に関する。
【背景技術】
【０００２】
　昨今、環境問題が広く取り沙汰されているが、農業においてもこの問題を避けて通ることはできず、例えば、牛、豚、鶏の糞尿の堆肥化、環境的に問題のない肥料の使い方、病害虫防除方法等農業に関する環境問題について枚挙にいとまがない。
【発明の開示】
【発明が解決しようとする課題】
【０００３】
　しかし、農業における環境問題については、あまり成果があがっていないのが現実であって、これは、社会の中で有効に機能するシステムが確立されていないことが最大の原因と考えられる。
【０００４】
　そこで、本発明は、この点に鑑みてなされたものであって、生産者、消費者に対して、環境に対する意識の向上と、環境に取り組む姿勢に変化をもたらし、地球環境の改善に貢献できる農産物の生産方法評価システム及び評価方法を提供することを目的とする。
【課題を解決するための手段】
【０００５】
　上記目的を達成するため、本発明は、農産物の生産方法評価システムであって、農産物の生産方法を評価するための評価対象に対する回答を記載するための診断用紙と、前記評価対象に対する回答に対するポイントを記載した判定表と、該判定表に基づいて計算されたポイントを集計して得られた指数を表示する印刷物またはシールとを備えることを特徴とする。
【０００６】
　そして、本発明によれば、各農家等が診断用紙に回答を書き込み、回答毎に付与されたポイントを集計することにより、農産物の生産方法を評価するための指数を容易に計算することができる。
【０００７】
　また、本発明は、農産物の生産方法評価方法であって、農産物の生産方法を評価するための評価対象を設定し、該評価対象に対する回答に対するポイントを設定し、個々の農産物または複数の農産物を対象として、個々の農家毎または複数の農家を含む地域毎に、前記評価対象に対する回答を得て前記ポイントを集計して指数を計算し、該指数を表示することを特徴とする。
【０００８】
　この発明によれば、消費者等は、表示された指数によって農産物の生産方法を評価し、できるだけ環境に配慮した農産物を購入しようとする。すると、環境に配慮した方法で生産された農産物が市場に流通し易くなり、ひいては地球環境の改善に繋がる。また、単独の農作物だけでなく、複合させて農家毎、または一農家だけでなく、地域について指数化して評価することもでき、地域的な環境に対する取り組み等を評価することもできる。
【０００９】
　前記農産物の生産方法評価方法において、前記指数を、印刷物若しくはシールに表示し、または通信手段を介して端末に表示することができる。
【００１０】
　そして、本発明によれば、農産物の生産方法を評価するための指数を表示した印刷物を配布したり、この指数を印刷したシールを農産物に直接貼着したり、農産物の容器、包装紙に貼着することにより、消費者が容易に環境に配慮した農産物か否かを判断することができる。また、インターネット等の通信手段を介して家庭等の端末に前記指数を表示することによって、家庭内において評価を行うこともできる。
【発明の効果】
【００１１】
　以上説明したように、本発明によれば、環境に配慮した方法で生産された農産物が市場に流通し易くなり、生産者、消費者に対して、環境に対する意識の向上と、環境に取り組む姿勢に変化をもたらし、地球環境の改善に貢献できる農産物の生産方法評価システム及び評価方法を提供することが可能となる。
【発明を実施するための最良の形態】
【００１２】
　次に、本発明にかかる農産物の生産方法評価システム及び評価方法の実施の形態について、農作物が米の場合を例にとって詳細に説明する。
【００１３】
　表１は、本発明にかかる農産物の生産方法評価システムにおいて、農産物の生産方法が環境に配慮したものであるかどうかを評価するための指数（以後「エコ指数」という）を計算するための診断用紙を示し、例えば、この診断用紙の各評価対象に対して各農家が回答する。
【００１４】
【表１】
2004000258.tif 000002
【００１５】
　本実施例は、農作物が米の場合であるため、田植え法、稲藁処理方法等米独特の項目があるが、他の農作物についても各々に応じた診断用紙を作成することができる。
【００１６】
　また、生産段階における環境への配慮の程度だけでなく、環境のために良いリサイクル等を行っている場合には、エコポイントとして点数を与える。例えば、牛、豚、鶏の糞尿の堆肥化を行っている場合や、農作物の生産に伴って発生し、従来廃棄処分している物をリサイクルしたりしている場合には、別途ポイントを与えるようにして上記診断用紙に加えても良い。これによって、農産物の生産体系から一貫した見方でリサイクルを含む総合的な環境に対する配慮の程度を評価することができる。
【００１７】
　表２は、農家等において診断用紙に記載された回答を評価してエコ指数を計算するための判定表を示す。この判定表には、上記診断用紙に記載されたものと同様の項目があり、各項目毎に回答の内容に応じて減点法によって指数を評価できるように構成されている。
【００１８】
【表２】
2004000258.tif 000003
【００１９】
　例えば、種子消毒として薬品処理を行っている場合には、環境に対する配慮に欠けるといえるため「−１」とし、塩を使用している場合には、環境に対して配慮しているといえるため減点せず「０」としている。また、本田使用肥料として、化学肥料の場合には「−２」、有機配合肥料の場合には「−１」、有機肥料には「０」を与え、環境に対する配慮に欠ける程度に応じて減点している。さらに、育苗使用薬剤、使用除草剤等については種々存在するため、種類に応じて減点すべきポイントを定めることができる。
【００２０】
　そして、判定表に基づいて計算されたポイントを集計することによって、エコ指数及びエコポイント（以下「エコ指数等」という）が計算される。
【００２１】
　算出されたエコ指数等は、農産物の生産方法を評価するための指数を表示した印刷物に記載して消費者に配布したり、エコ指数等を印刷したシールを農産物に直接貼着して市場または店頭に並べたり、農産物の容器、包装紙に貼着しても良い。これによって、消費者は、環境に配慮した農産物か否かをその場で判断して農産物を購入することができる。
【００２２】
　また、インターネット等の通信手段を介して家庭等の端末にエコ指数等を表示することによって、家庭内において評価を行うこともでき、エコ指数等に変動があった場合でも、記憶手段に記憶されたエコ指数等のデータを書き換えることで容易に表示を変更することができる。
【００２３】
　以上のようにして、消費者が表示されたエコ指数等によって環境に配慮した農産物か否かを判断することができ、各農産物の価格等を検討しながらできるだけ環境に配慮した農産物を購入しようとする。すると、環境に配慮した方法で生産された農産物が市場に流通し易くなり、最終的に地球環境の改善に繋がることとなる。
【００２４】
　尚、上記実施例は、一軒の農家が生産する米の場合について説明したが、たまねぎ、キャベツ等の野菜、りんご、梨等のくだものについても同様の手段で評価を行うことができる。また、各農家が生産する種々の農作物について上記評価を行い、各農家毎の農産物の生産方法について総合的な評価を行ったり、複数の農家を含む地域毎にエコ指数等を計算して、地域的な環境に対する取り組みを評価することもできる。